【手続補正書】
【提出日】平成23年1月19日(2011.1.19)
【手続補正１】
【補正対象書類名】特許請求の範囲
【補正対象項目名】全文
【補正方法】変更
【補正の内容】
【特許請求の範囲】
【請求項１】
立体画像から色アナグリフを作成する方法であって、
２つ以上の色座標｛Ａ１，．．．，ＡＳ｝１によって表される第１の画像と、２つ以上の色座標｛Ｂ１，．．．，Ｂｓ｝２によって表される第２の画像とを含む立体画像を提供するステップを含んでおり、
座標変換を行なうことができる装置を提供するステップを含んでおり、
この装置を用いて、第１の変換を用いて前記座標｛Ａ１，．．．，ＡＳ｝１を２つ以上の色座標｛Ｐ１，．．．，Ｐｍ｝１に変換するステップを含んでおり、ここで、この第１の変換は、前記アナグリフの色相を決定するものであり、座標｛Ｐ１，．．．，Ｐｍ｝１は、ｍ以上の実質的な色相成分を含んでおり、
第２の変換を用いて前記座標｛Ｂ１，．．．，Ｂｓ｝２を座標｛Ｑ１｝２に変換するステップを含んでおり、ここで、前記第２の変換は、視野闘争を減少させるものであり、
｛Ｐ１，．．．，Ｐｍ｝１および座標｛Ｑ１｝２によって表される第１のカラーアナグリフを生成するステップを含んでおり、ここで、前記第１のカラーアナグリフの視野闘争は、前記第１のカラーアナグリフ全体に亘って低レベル未満であることを特徴とする方法。
【請求項２】
前記第１のカラーアナグリフは、視野闘争比が４対１を超える色を含むことを特徴とする請求項１に記載の方法。
【請求項３】
前記第１の画像および前記第２の画像における類似の対象に関して、座標｛Ｑ１｝２に表される第２の明度は、座標｛Ｐ１，．．．，Ｐｍ｝１によって表される第１の明度に実質的に比例することを特徴とする請求項１に記載の方法。
【請求項４】
前記座標｛Ｑ１｝２の値Ｑ１は、前記第１の画像および前記第２の画像における類似の対象に関して関数によって座標｛Ｐ１，．．．，Ｐｍ｝１の値Ｐ１，．．．，Ｐｍに実質的に関係することを特徴とする請求項１に記載の方法。
【請求項５】
前記第２の変換を用いて前記座標｛Ｂ１，．．．，Ｂｓ｝２を前記座標｛Ｑ１｝２に変換する前記ステップは、
前記第１の変換を用いて前記座標｛Ｂ１，．．．，Ｂｓ｝２を２つ以上の色座標｛Ｐ１，．．．，Ｐｍ｝２に変換するステップと、
視野闘争を減少させる第３の変換を用いて前記座標｛Ｐ１，．．．，Ｐｍ｝２を座標｛Ｑ１｝２に変換する前記ステップと、
を含むことを特徴とする請求項１に記載の方法。
【請求項６】
前記座標｛Ｑ１｝２の値Ｑ１は、下記関数
2010517075.tif 000001
によって前記座標｛Ｐ１，．．．，Ｐｍ｝２の値Ｐ１，．．．，Ｐｍに実質的に関係することを特徴とする請求項５に記載の方法。
【請求項７】
表示装置を用いて、原色｛Ｐ１，．．．，Ｐｍ｝および原色｛Ｑ１｝を提供するステップと、
原色｛Ｐ１，．．．，Ｐｍ｝を用いて前記座標｛Ｐ１，．．．，Ｐｍ｝１をレンダリングし、かつ原色｛Ｑ１｝を用いて前記座標｛Ｑ１｝２をレンダリングすることにより第１のレンダリングを生成するステップと、
を更に含む請求項１に記載の方法。
【請求項８】
第１の目で前記第１のレンダリングを見ることができるように構成された第１のフィルタを提供するステップを更に含んでおり、ここで、前記第１のフィルタは、原色｛Ｐ１，．．．，Ｐｍ｝の正値Ｐ１’，．．．，Ｐｍ’を透過させるものであり、
第２の目で前記第１のレンダリングを見ることができるように構成された第２のフィルタを提供するステップを更に含んでおり、ここで、前記第２のフィルタは、原色｛Ｑ１｝の正値Ｑ１’を透過させるものであり、
可視波長範囲内において、前記第１のフィルタの第１の透過スペクトルは、前記第２のフィルタの第２の透過スペクトルと実質的に重ならないことを特徴とする請求項７に記載の方法。
【請求項９】
カラー立体画像を記憶する方法であって、
第１の画像および第２の画像を含む立体画像を提供するステップを含んでおり、
２つ以上の色座標｛Ｐ１，．．．，Ｐｍ｝１において前記第１の画像を表すステップを含んでおり、ここで、座標｛Ｐ１｝１の値は、前記第１の画像の少なくとも一部における座標｛Ｐｍ｝１の値とは、可変的に異なるものであり、
前記第１の画像および前記第２の画像における類似の対象に関して座標｛Ｐ１，．．．，Ｐｍ｝１によって表される第１の明度に本質的に比例する座標｛Ｑ１｝２によって表される第２の明度で座標｛Ｑ１｝２における前記第２の画像を表すステップを含んでおり、
前記座標｛Ｐ１，．．．，Ｐｍ｝１における前記第１の画像と、前記座標｛Ｑ１｝２における前記第２の画像とを記憶装置に記憶するステップを含むことを特徴とする方法。
【請求項１０】
立体画像のカラーアナグリフレンダリングであって、
立体画像を含んでおり、この立体画像が、
第１の画像と、
第２の画像と、
を含んでおり、
前記第１の画像は、２つ以上の原色｛Ｐ１，．．．，Ｐｍ｝においてレンダリングされ、
前記第２の画像は、原色｛Ｑ１｝においてレンダリングされ、
前記第１の画像は、ｍ以上の実質的な色相成分を含んでおり、
前記２つ以上の原色｛Ｐ１，．．．，Ｐｍ｝のスペクトルは、前記原色｛Ｑ１｝のスペクトルと実質的に重ならず、
前記第１の画像は、第１のフィルタを通して見られるように構成されており、前記第１のフィルタは、原色｛Ｐ１，．．．，Ｐｍ｝の正値Ｐ１’，．．．，Ｐｍ’を透過させるものであり、
前記第２の画像は、第２のフィルタを通して見られるように構成されており、前記第２のフィルタは、原色｛Ｑ１｝の正値Ｑ１’を透過させるものであり、
前記値Ｑ１’は、前記第１の画像および前記第２の画像における類似の対象に関して下記関数
2010517075.tif 000002
によって前記値Ｐ１’，．．．，Ｐｍ’に本質的に関係することを特徴とする、カラーアナグリフレンダリング。
【請求項１１】
前記関数は、下記数式
Ｑ１‘  ＝（α１Ｐ１‘γ１    ＋  ．．．＋αｍＰｍ‘γｍ  ）１／γ
によって実質的に表され、
α１，．．．，αｍは、前記値Ｐ１’，．．．，Ｐｍ’の相対明度をそれぞれ表す定数を含んでおり、
γおよびγ１，．．．，γｍは、約２．０と約３．０との間の定数を含んでいることを特徴とする、請求項１０に記載のカラーアナグリフレンダリング。
【請求項１２】
立体画像を表示するための装置であり、
表示装置を含んでおり、この表示装置は、
２つ以上の原色｛Ｐ１，．．．，Ｐｍ｝と、
原色｛Ｑ１｝と、
を含んでおり、
３つ以上の色座標｛Ａ１，．．．，Ａｓ｝を前記２つ以上の原色座標｛Ｐ１，．．．，Ｐｍ｝に変換するように構成された第１の変換を含んでおり、
３つ以上の色座標｛Ｂ１，．．．，Ｂｓ｝を前記原色座標｛Ｑ１｝に変換するように構成された第２の変換を含んでおり、
前記表示装置は、
第１の画像および第２の画像を含む立体画像を受信するように構成されており、ここで、前記第１の画像は、実質的に赤、黄、緑、シアン、青、およびマゼンタの色相成分の少なくとも一つを含んでおり、前記第２の画像は、実質的に赤、黄、緑、シアン、青、およびマゼンタの色相成分の少なくとも一つを含んでおり、
座標｛Ａ１，．．．，Ａｓ｝１によって表される前記第１の画像を、前記第１の変換を用いて原色座標｛Ｐ１，．．．，Ｐｍ｝１に変換するように構成されており、ここで、前記座標｛Ｐ１，．．．，Ｐｍ｝１は、少なくともｍの色相成分の実質的な彩度を含んでおり、
座標｛Ｂ１，．．．，Ｂｓ｝２によって表される前記第２の画像を、前記第２の変換を用いて原色座標｛Ｑ１｝２に変換するように構成されており、ここで、前記原色座標｛Ｑ１｝２によって表される明度は、前記第１の画像および前記第２の画像における類似の対象に関して前記原色座標｛Ｐ１，．．．，Ｐｍ｝１によって表される明度に実質的に比例するものであり、
前記第１の画像および前記第２の画像は、カラーアナグリフ全体に亘って低い視野闘争を含むカラーアナグリフを生じることを特徴とする装置。
【請求項１３】
第１のフィルタを更に含んでおり、この第１のフィルタは、
第１の透過スペクトルを生じるように構成されており、
前記原色｛Ｐ１，．．．，Ｐｍ｝においてレンダリングされる前記第１の画像を見られるように構成されており、
前記２つ以上の原色｛Ｐ１，．．．，Ｐｍ｝の正値Ｐ１’，．．．，Ｐｍ’を透過させるように構成されており、
第２のフィルタを更に含んでおり、この第２のフィルタは、
第２の透過スペクトルを生じるように構成されており、ここで、前記第２の透過スペクトルの有効透過率は、前記第１の透過スペクトルの有効透過率と本質的に重ならず、
前記原色｛Ｑ１｝においてレンダリングされる前記第２の画像を見られるように構成されており、
前記原色｛Ｑ１｝の正値Ｑ１’を透過させるように構成されていることを特徴とする、請求項１２に記載の装置。
【請求項１４】
下記関数
Ｑ１´  ＝（α１Ｐ１´γ１    ＋  ．．．＋αｍＰｍ´γｍ  ）１／γ
によって実質的に関連する前記値Ｑ１’および前記値Ｐ１’，．．．，Ｐｍ’を更に含んでおり、
α１，．．．，αｍは、前記値Ｐ１’，．．．，Ｐｍ’の相対明度をそれぞれ表す定数を含んでおり、
γおよびγ１，．．．，γｍは、約２．０と約３．０との間の定数を含んでいることを特徴とする請求項１３に記載の装置。
【請求項１５】
立体画像を見るための装置であって、
第１のフィルタおよび第２のフィルタを含んでおり、可視波長範囲内において前記第１のフィルタの透過率は、前記第２のフィルタの透過率と実質的に重ならず、
前記第１のフィルタおよび第２のフィルタは、共に、立体画像のアナグリフレンダリングを見られるように構成されており、前記立体画像は、
２つ以上の原色｛Ｐ１，．．．，Ｐｍ｝においてレンダリングされる第１画像を含んでおり、この第１画像は、原色｛Ｐ１，．．．，Ｐｍ｝においてｍ以上の実質的な色相成分を含んでおり、
原色｛Ｑ１｝においてレンダリングされる第２の画像を更に含んでおり、
前記第１のフィルタは、前記原色｛Ｐ１，．．．，Ｐｍ｝の正値Ｐ１’，．．．，Ｐｍ’を透過させるように構成されており、
前記第２のフィルタは、前記原色｛Ｑ１｝の正値Ｑ１’を透過させるように構成されており、前記値Ｑ１’および前記値Ｐ１’，．．．，Ｐｍ’は、下記関数
Ｑ１´  ＝（α１Ｐ１´γ１    ＋  ．．．＋αｍＰｍ´γｍ  ）１／γ
によって実質的に関連しており、
α１，．．．，αｍは、前記値Ｐ１’，．．．，Ｐｍ’の相対明度をそれぞれ表す定数を含んでおり、
γおよびγ１，．．．，γｍは、約２．０と約３．０との間の定数を含んでおり、
前記アナグリフレンダリングは、このアナグリフレンダリング全体に亘って低レベル未満の視野闘争を含むことを特徴とする装置。
【手続補正２】
【補正対象書類名】明細書
【補正対象項目名】００７２
【補正方法】変更
【補正の内容】
【００７２】
ｒ’＝α１ｇ＋α２ｂ、
ＲＡ＝Ｗ＋ｒ’、
ＧＡ＝Ｗ＋ｇ、
ＢＡ＝Ｗ＋ｂ
であり、式中、ＲＡ、ＧＡおよびＢＡは、アナグリフの原色座標値であり、ｒ’は初期
の画像における元のｒ座標値を置き換える新たな座標値を表す。上記の明度状態は、釣り
合いのとれた明度を有するグレースケール画像（ＲＡ，ＧＡ，ＢＡ）＝（Ｗ，Ｗ，Ｗ）の
場合を含む。
【手続補正３】
【補正対象書類名】明細書
【補正対象項目名】０１０９
【補正方法】変更
【補正の内容】
【０１０９】
ＹＬＢ１＝αＧＧＬ＋αＢＢＬ、
ＹＬＢ２＝αＲＲＬ
または
ＹＬＢ１＝αＧＨＧ（Ｇ）＋αＢＨＢ（Ｂ）、
ＹＬＢ２＝αＲＨＲ（Ｒ）であり、
ＹＬＢ１およびＹＬＢ２はそれぞれ、第１の画像および第２の画像の線形明度を表し、
αＧ、αＲおよびαＢは、測定可能な変数であってもよい。釣り合いのとれた明度条件は
、関係ＹＬＢ１〜ＹＬＢ２によって近似されてもよい。次に、Ｒは、以下のように、Ｇお
よびＢの関数として書かれてもよい。
【手続補正４】
【補正対象書類名】明細書
【補正対象項目名】０１５８
【補正方法】変更
【補正の内容】
【０１５８】
ＰｇＭ＝Ｍｇ（Ｐｇ）および
Ｑ１Ｍ＝ＭＱ（Ｑ１）であり、
式中、ＭｇおよびＭＱは、マスキング関数であってもよい。簡単にするため、マスキン
グ関数は、以下のように、係数として近似されてもよい。
【手続補正５】
【補正対象書類名】明細書
【補正対象項目名】０１７３
【補正方法】変更
【補正の内容】
【０１７３】
図１２は、格納されたＧＢデータを用いて４色の釣り合いのとれた明度を有するアナグ
リフを作成して表示する処理のフローチャートを示す。フローチャートは、第１の画像お
よび第２の画像が平行に処理されることを示すが、これらの画像は順次処理されてもよい
。処理は、以下のステップ、すなわち、（１）第１の画像座標値を読み出すステップ（１
２０２）と、（２）Ｇｐ変換を用いて第１の画像座標値を｛Ｐ１，Ｐ２，Ｐ３｝１原色に
投影するステップ（１２０４、１２０６）と、（３）第２の画像座標値を読み出すステッ
プ（１２０８）と、（４）Ｇｐ変換を用いて第２の画像座標値を｛Ｐ１，Ｐ２，Ｐ３｝２
原色に投影するステップ（１２１０、１２１２）と、（５）ＧＢデータを読み出すステッ
プと（１２１４）と、（６）ＧＢデータおよびＧＢ変換を用いて｛Ｑ１｝２座標値を計算
するステップ（１２１４、１２１６、１２１８）と、（７）｛Ｐ１，Ｐ２，Ｐ３｝１座標
値および｛Ｑ１｝２座標値からアナグリフを作成するステップ（１２２０）と、（８）所
望であればアナグリフを表示するステップ（１２２２、１２２４）と、を含む。アナグリ
フ｛Ｐ１，Ｐ２，Ｐ３，Ｑ１｝はまた、デジタルファイルに格納されてもよい。この処理
を行うディスプレイ装置は通常、アナグリフを表示してもよい。この処理を行うソフトウ
ェアプログラムは通常、アナグリフを格納するか、または表示してもよい。
【手続補正６】
【補正対象書類名】明細書
【補正対象項目名】０１７４
【補正方法】変更
【補正の内容】
【０１７４】
デジタルファイルは、デジタル画像｛Ｐ１，．．．，Ｐｍ，Ｑ１｝ｊにおける各画素点
ｊの色座標を表すｍ＋１個の色座標のアレイとして、４つ以上の色値｛Ｐ１，．．．，Ｐ
ｍ，Ｑ１｝を有する本発明のアナグリフを格納するために用いられてもよい。あるいは、
アナグリフは、座標｛Ｐ１｝ｊ，．．．，｛Ｐｍ｝ｊ，｛Ｑ１｝ｊのｍ＋１個のアレイに
格納されてもよい。あるいは、アナグリフは、座標｛Ｐ１，．．．，Ｐｍ｝ｊ，｛Ｑ１
｝の２つのアレイに格納されてもよい。本発明のデジタルファイルは、従来技術の方法に
よって圧縮されてもよい。
【手続補正７】
【補正対象書類名】明細書
【補正対象項目名】０１９２
【補正方法】変更
【補正の内容】
【０１９２】
図１３は、格納されたＺｓデータを用いて、選択された量の視野闘争を有する４色アナ
グリフを作成して表示する処理のフローチャートを示す。処理は、図１２に図示されてい
るが図１３には図示されていないステップの一部を含む。処理は、以下のステップ、すな
わち、（１）第１の画像座標値を読み出すステップ（１２０２）と、（２）Ｇｐ変換を用
いて第１の画像座標値を｛Ｐ１，Ｐ２，Ｐ３｝１原色に投影するステップ（１２０４、１
２０６）と、（３）第２の画像座標値を読み出すステップ（１２０８）と、（４）Ｇｐ変
換を用いて第２の画像座標値を｛Ｐ１，Ｐ２，Ｐ２｝２原色に投影するステップ（１２１
０、１２１２）と、（５）ＧＢデータを読み出すステップと（１２１４）と、（６）ＧＢ
データおよびＧＢ変換を用いて｛Ｑ１Ｂ｝２座標値を計算するステップ（１２１４、１２
１６、１３０２）と、（７）視野闘争データを読み出すステップ（１３０４）と、（８）
視野闘争変換ＧＺを用いて｛Ｑ１｝２を決定するステップと、（９）｛Ｐ１，Ｐ２，Ｐ３
｝１値および｛Ｑ１｝２値からアナグリフを作成するステップ（１２２０）と、（１０）所
望であればアナグリフを表示するステップ（１２２２、１２２４）と、を含む。アナグリ
フ｛Ｐ１，Ｐ２，Ｐ３，Ｑ１｝はまた、デジタルファイルに格納されてもよい。この処理
を行うディスプレイ装置は通常、アナグリフを表示してもよい。この処理を行うソフトウ
ェアプログラムは通常、アナグリフを格納するか、または表示してもよい。